(57)【要約】【課題】調理器具などから発生する吸引流が拡散することをイオン風によって遮断させることができる、また、エアコン流等の外乱によって吸引流が乱れることを低減させることができ、施工が簡単な排気装置を提供する。【解決手段】ケーシングと、前記ケーシングへの吸引流を形成する排気ファンと、前記ケーシングからの吐出流を形成する送風ユニットと、前記吸引流が流入する吸引口と、前記吐出流が吐出する吐出口と、を備え、前記送風ユニットは高電圧側の電極と低電圧側の電極とを有し、前記吐出流は前記高電圧側の電極と前記低電圧側の電極との間に電位差を設けることで形成されるイオン風であることを特徴とする排気装置が提供される。【選択図】図１
2010117079.tif 000002
【特許請求の範囲】
【請求項１】
ケーシングと、
前記ケーシングへの吸引流を形成する排気ファンと、
前記ケーシングからの吐出流を形成する送風ユニットと、
前記吸引流が流入する吸引口と、
前記吐出流が吐出する吐出口と、を備え、
前記送風ユニットは高電圧側の電極と低電圧側の電極とを有し、
前記吐出流は前記高電圧側の電極と前記低電圧側の電極との間に電位差を設けることで形成されるイオン風であることを特徴とする排気装置。
【請求項２】
複数の前記送風ユニットの前記高電圧側の電極同士が電気的に接続されるように前記複数の送風ユニットを連結してなることを特徴とする請求項１記載の排気装置。
【請求項３】
形成される前記イオン風の幕に隙間ができないように、連結手段により前記複数の送風ユニットを連結してなることを特徴とする請求項１または２記載の排気装置。
【請求項４】
前記吐出口が方形であることを特徴とする請求項１〜３のいずれか記載の排気装置。
【請求項５】
前記吐出口における屈曲部で、前記複数の送風ユニットを連結することを特徴とする請求項４記載の排気装置。
【発明の詳細な説明】
【技術分野】
【０００１】
本発明は、エアカーテンを形成させることができる排気装置に関する。
【背景技術】
【０００２】
キッチンに設置されたレンジ等の調理器具の上方に排気装置を設置し、調理器具から立ちのぼる油煙や臭気などを吸引捕集することが行われている。一方、最近では、調理器具が壁に沿って設置される従来型キッチンだけでなく、調理器具が壁から離れたところに設置される、いわゆる、アイランド型キッチンやペニンシュラ型キッチンが普及し始めている。
【０００３】
従来型のキッチンでは、消防法の規制に基づいて排気装置と調理器具との間の距離を８００ｍｍ以上に離したとしても、壁があるため油煙や臭気などが拡散しにくく、油煙や臭気などを比較的簡単に捕集することができた。しかし、アイランド型キッチンやペニンシュラ型キッチンでは、その周囲が開放しているため、油煙や臭気などが拡散しやすく、油煙や臭気などの捕集が困難なものとなる。そのため、アイランド型キッチンやペニンシュラ型キッチンでは、従来よりも高い捕集性能を有する排気装置が要求されるようになってきている。さらに、外乱風（横風）がある場合には、油煙や臭気などがより拡散しやすく、油煙や臭気などの捕集がより困難なものとなる。
【０００４】
そこで、排気装置から吐出される吐出流によって形成されるエアカーテンにより、調理器具などから立ち上る油煙や臭気などの拡散を遮断しつつ、その油煙や臭気などを捕集および排気させる装置がある（例えば、特許文献１参照）。
【０００５】
また、イオン風のエアカーテンで遮蔽することにより、隔壁設備無しで清浄な遮蔽空間を構築する装置がある。（例えば、特許文献２参照）
【特許文献１】特開２００７−１００９７８号公報
【特許文献２】特開２００２−９５９９８号公報
【特許文献３】特開２００７−２９２３８８号公報
【発明の開示】
【発明が解決しようとする課題】
【０００６】
しかしながら、特許文献１に記載された排気器具は、吐出流の風速分布が不均一で、気流乱れが大きいため、吐出流の影響により、吸引口へ流入する気体の流れ（吸引流）が乱れてしまう、あるいは、吐出流がエアコン流等の外乱を効率的に遮断することができないため、外乱によって吸引流が乱れてしまうという問題があった。
【０００７】
また、特許文献２に記載された局所清浄化システムは、部品点数が多く、電気工事や設置工事など、現場での施工が煩わしいという問題がある。また、現場毎で壁や天井の制約条件が異なるにもかかわらず、広い設置スペースを確保しなければならないという問題があった。
【０００８】
本発明は、かかる課題の認識に基づいてなされたものであり、調理器具などから発生する吸引流が拡散することをイオン風によって遮断させることができる、また、エアコン流等の外乱によって吸引流が乱れることを低減させることができ、施工が簡単な排気装置を提供することを目的とする。
【課題を解決するための手段】
【０００９】
上記課題を解決するために本発明に係る排気装置は、  
ケーシングと、
前記ケーシングへの吸引流を形成する排気ファンと、
前記ケーシングからの吐出流を形成する送風ユニットと、
前記吸引流が流入する吸引口と、
前記吐出流が吐出する吐出口と、を備え、
前記送風ユニットは高電圧側の電極と低電圧側の電極とを有し、
前記吐出流は前記高電圧側の電極と前記低電圧側の電極との間に電位差を設けることで形成されるイオン風であることを特徴とする。
【発明の効果】
【００１０】
本発明によれば、調理器具などから発生する吸引流が拡散することをイオン風によって遮断させることができる、また、エアコン流等の外乱によって吸引流が乱れることを低減させることができ、施工が簡単な排気装置が提供される。
【発明を実施するための最良の形態】
【００１１】
以下、本発明の実施の形態について図面を参照しつつ説明する。なお、各図面中、同様の構成要素には同一の符号を付して詳細な説明は適宜省略する。
図１は、本発明の第１の実施の形態にかかる排気装置が設置されたキッチンを例示する模式図である。
なお、説明の便宜上、図１に表した排気装置１０は断面図を表している。また、後に詳述する図４についても同様に、排気装置１０は断面図を表す。
【００１２】
本実施形態にかかる排気装置１０は、ケーシング１２と、イオン風送風装置３６と、排気ファン３４と、整流板４８と、を備えている。ケーシング１２は、方形形状のケーシング下部１２ａと、ケーシング下部１２ａから上方に配置されたケーシング上部１２ｂと、を有している。イオン風送風装置３６は、ケーシング下部１２ａにおいてケーシング１２の内部に設けられ、室内に空気を吐出している。なお、イオン風送風装置３６は、複数のイオン風送風ユニット３８、４０、４２から構成されている。また、排気ファン３４は、ケーシング上部１２ｂの内部に設けられ、外部に空気を排出している。
【００１３】
ケーシング１２の内部には、吸引流路２１と、吸引口２４と、排気口２６と、吐出流路２２と、吸気口２８と、吐出口３２と、が設けられている。吸引口２４は、ケーシング１２の下端部に設けられ、上昇してくる気体（吸引流）を流入させている。また、吸引流路２１は、ケーシング下部１２ａ及びケーシング上部１２ｂの内部に設けられ、吸引口２４から流入してきた気体を排気ファン３４へ導いている。排気口２６は、排気ファン３４の上方部に設けられている。排気ファン３４から排出された気体は、この排気口２６を通過し、外部へ排気される。
【００１４】
吸気口２８は、イオン風送風装置３６の上方部に設けられている。室内の空気は、この吸気口２８を通過して、イオン風送風装置３６に取り入れられている。また、吐出流路２２は、吸引流路２１と隔離されて設けられており、イオン風送風装置３６から吐出された空気を室内へ導いている。
【００１５】
排気装置１０の下方には、調理器具７０が設けられ、調理器具７０上には鍋７２などが載置される。鍋７２などから発生した油煙や臭気などは、排気ファン３４に吸い込まれるように吸引流を形成し、矢印Ａに表したように吸引口２４から吸引流路２１へ流入する。吸引口２４から流入した吸引流は、吸引流路２１を通って、排気ファン３４に吸い込まれる。その後、排気ファン３４は、吸い込んだ吸引流を排気口２６から矢印Ｂに表したように外部へ排気する。
【００１６】
一方、ケーシング１２の上方部にある空気は、イオン風送風装置３６に吸い込まれるようにして、吸気口２８から流入する。イオン風送風装置３６から吐出された空気は、矢印Ｃに表したように、吐出口３２から吐出流として下方へ吐出される。吐出口３２から下方へ吐出された吐出流は、いわゆるエアカーテンを形成する。
【００１７】
イオン風送風ユニット３８は、放電極３８ａと、一対の対向極３８ｂ、３８ｃとが設けられている。対向極３８ｂ、３８ｃは、金属製の平板状部材で、その長手方向を放電極３８ａの長手方向とほぼ平行となるようにして配設されている。
【００１８】
図１に示すように、樹脂等の電気絶縁性材料からなる支持部材４４を介して放電極３８ａがケーシング１２に取り付けられている。また、対向極３８ｂ、３８ｃから略等距離にある仮想平面上に放電極３８ａが設けられている。対向極３８ｂ、３８ｃの対向方向の中心位置上方に放電極３８ａが設けられている。そして、放電極３８ａには直流電源４６が接続され、対向極３８ｂ、３８ｃは接地されている。つまり、放電極３８ａが、高電圧側の電極となっており、対向極３８ｂ、３８ｃが、低電圧側の電極となっている。
【００１９】
ここで、本実施形態のイオン風送風装置３６は、イオン風による吐出流であるため、静音であり、かつ、ファンによる吐出流と比較して、放電極３８ａや対向極３８ｂ、３８ｃの長手方向に相当する方向の風速分布が均一となる。よって、気流の乱れが小さいため、直進性が高く、到達距離が長くなる。そのため、本実施形態にかかる排気装置１０においては、吐出口３２から吐出された吐出流は、到達距離がより長くなり、調理器具７０と略同じ高さまで気流乱れが小さい状態で到達する。すなわち、吐出口３２から調理器具７０と略同じ高さにかけて、エアカーテンが形成される。したがって、鍋７２などから発生した吸引流が、調理器具７０の周辺に拡散することを遮断することができる。また、エアコン流などの外乱風（横風）がある場合にも、この外乱風が調理器具７０から吸引口２４にかかる領域に侵入して吸引流を乱すことを効率的に遮断することができる。
【００２０】
また、図２は、本実施形態にかかる排気装置を下方から眺めた模式図である。
本実施形態にかかる排気装置１０は、図２に表したように、３台のイオン風送風ユニット３８、４０、４２から構成されるイオン風送風装置３６がケーシング１２の内部に設けられている。また、吐出口３２は、全体が「コの字」のような方形の形状を有しており、ケーシング１２の周縁に沿って設けられている。整流板４８は、図２に表したように、排気装置１０を下方から眺めたとき、方形の形状となっており、吸引口２４の略中央部に設けられている。
【００２１】
吐出口３２は、ケーシング１２の周縁に沿って、方形の形状となっているため、所定の排気装置サイズ（例えば、幅９００ｍｍ×奥行７００〜９００ｍｍ）において、効率的に吐出流を形成させることができる。これは、家庭用の調理器具（コンロ）は、通常、グリル排気も含めて方形の形状となっており、排気場所全体が方形となっているものに対応できるためである。つまり、吸引流が拡散することを効率的に遮断することができる。
なお、吐出口３２の屈曲部において、多少の円弧（角Ｒ）を付与しても構わないが、なるべくケーシング１２の周縁に沿うことが望ましい。
【００２２】
次に、図２、図３を用いて、イオン風送風ユニット３８、４０、４２の連結について説明をする。図３は、吐出口３２の屈曲部付近を表す拡大模式図である。
図２、図３に示すように、イオン風送風ユニット３８の放電極３８ａとイオン風送風ユニット４０の放電極４０ａとは、連結手段５０ａを介して略直角な方向に方向を変換しつつ連結されている。また、イオン風送風ユニット３８の対向極３８ｂ、３８ｃとイオン風送風ユニット４０の対向極４０ｂ、４０ｃとは、連結手段５０ｂ、５０ｃを介して略直角な方向に方向を変換しつつ、それぞれ連結されている。
【００２３】
連結手段５０ａ、５０ｂ、５０ｃは円柱状を呈し、その外周面には互いに略直角となるような向きに溝が設けられている。そして、連結手段５０ｂ、５０ｃに設けられた溝には対向極３８ｂ、３８ｃ、４０ｂ、４０ｃが、連結手段５０ａには放電極３８ａ、４０ａが嵌合可能とされている。
【００２４】
また、連結手段５０ａ、５０ｂ、５０ｃは、金属の導電性材料で構成されており、それぞれを電気的に接続させている。
【００２５】
この場合、連結手段５０ａ、５０ｂ、５０ｃの溝に対向極３８ｂ、３８ｃ、４０ｂ、４０ｃ、放電極３８ａ、４０ａをそれぞれ挿入するだけで、略直角方向に方向が変換された連結を行うことができる。その結果、施工が容易となり、また、施工の作業効率をも向上させることができる。尚、連結手段の溝に脱離防止のための図示しないロック機構などを設けるようにすることもできる。また、連結手段の溝と対向極、放電極との嵌め合い寸法は、設置環境や施工の容易さなどを考慮して適宜選択することができる。
【００２６】
また、連結手段の大きさが小さく、また、放電極の端部同士、対向極の端部同士を連結手段５０ａ、５０ｂ、５０ｃで電気的に接続させているため、連結された放電極、対向極をそれぞれ一体の電極と見なすことができる。そのため、一体的なイオン風の幕を形成させることができるので、形成されるイオン風の幕に隙間が生じることがない。
【００２７】
尚、放電極３８ａ、４０ａには前述した直流電源１０が接続され、対向極３８ｂ、３８ｃ、４０ｂ、４０ｃは接地される。この場合、放電極同士、対向極同士が電気的に接続されているので、直流電源１０との接続、接地のための接続は、それぞれ１箇所のみであり、直流電源４６が１台で足りることになる。
【００２８】
なお、本実施形態によれば、起風部である放電極３８ａから吐出口３２までの通路長さが、屈曲部も含めて吐出口３２の全ての位置で等距離となっている。そのため、屈曲部も含め、吐出口３２での風速分布が均一で、かつ、隙間のない風を形成することができる。よって、屈曲部に対応する方向（調理者から見ると、前方斜め方向）からの外乱も、遮断することができる。
【００２９】
以上説明したように、本実施形態によれば、調理器具などから発生する吸引流が拡散することをイオン風によって遮断させることができる、また、エアコン流等の外乱によって吸引流が乱れることを低減させることができる。また、ケーシング１２の内部に、排気ファン３４とイオン風送風装置３６を一体的に備えているため、すっきりとしたデザインとすることができ、また、現場で簡単に施工することができる。
【００３０】
次に、本発明の第２の実施の形態について説明する。  
図４は、本発明の第２の実施の形態にかかる排気装置を表す模式図である。  
また、図５は、本実施形態にかかる排気装置を斜め下方から眺めた模式図である。  
本実施形態にかかる排気装置１０は、第１の実施の形態にかかる排気装置よりも、イオン風送風装置３６及び吐出口３２の位置が、上方に設けられている。また、放電極同士が、屈曲部において、電気線材及び電気コネクタで電気的に接続されている。その他の構造は、第１の実施の形態にかかる排気装置と同様である。
【００３１】
本実施形態の排気装置１０は、イオン風送風装置３６及び吐出口３２の位置が、上方に設けられているため、ケーシング１２の下端部の面積が同等にもかかわらず、吸引口２４の面積が広くなっている。そのため、鍋７２などから発生した油煙や臭気などの吸引流に対して、より広い面積で対応することができる。
【００３２】
本実施形態にかかる排気装置１０は、電気的に接続されている。したがって、第１の実施の形態にかかる排気装置について説明した効果と同様の効果を得ることができる。
【００３３】
図６は、本実施形態にかかる放電極および対向極の連結について説明をするための模式図である。
図６に表した放電極３８ａ、４０ａのように、放電極の一方の端部においては電気線材５２ａ、５６ａが設けられている。電気線材５２ａ、５６ａの先端部分においては、電気線材５２ａ、５６ａ同士を接続するための電気コネクタ５３ａ、５７ａが設けられている。この電気コネクタ５３ａ、５７ａの接続によって、放電極３８ａ、４０ａ同士が電気的に接続される。
【００３４】
また、対向極の一方の端部においては電気線材５２ｂ、５６ｂが設けられている。電気線材５２ｂ、５６ｂの先端部分においては、電気線材５２ｂ、５６ｂ同士を接続するための電気コネクタ５３ｂ、５７ｂが設けられている。この電気コネクタ５３ｂ、５７ｂの接続によって、対向極３８ｂ、４０ｂ同士が電気的に接続される。
【００３５】
本実施の形態によれば、電気線材５２ａ、５６ａ、および電気コネクタ５３ａ、５７ａによって、放電極同士が、および電気線材５２ｂ、５６ｂ、および電気コネクタ５３ｂ、５７ｂによって、対向極同士が、電気的に接続されている。また、電気的に接続された放電極、対向極をそれぞれ一体の電極と見なすことができる。そのため、直流電源４６が１台で足りることになる。よって、排気装置全体の軽量化を図ることが可能となり、施工性の向上を図ることも可能となる。また、放電極同士および対向極同士を隙間無く設置すれば、一体的なイオン風の幕を形成させることができるので、形成されるイオン風の幕に隙間が生じることがない。
【００３６】
以上説明したように、本実施形態によれば、鍋７２などから発生した油煙や臭気などを、より広い面積の吸気口で吸引することができるので、発生した油煙や臭気などの捕集率を向上させることができる。また、第１の実施の形態同様、調理器具７０などから発生する油煙や臭気が拡散することをイオン風によるエアカーテンによって遮断させることができる。さらに、イオン風によるエアカーテンによってエアコン流等の外乱で吸引流が乱れることを低減させることができる。また、ケーシング１２の内部に、排気ファン３４とイオン風送風装置３６を一体的に備えているため、現場で簡単に施工することができる。
【００３７】
＊操作スイッチ説明＊
次に、本発明の実施の形態にかかる排気装置の具体例について説明する。  
図７は、本発明の実施の形態の具体例にかかる排気装置を例示する模式図である。  
図７に表したケーシング下部１２ａの調理者側の面（前面）には、操作スイッチ６２が設けられている。操作スイッチ６２は、排気装置１０の基本的操作である吸引動作の「入切」、吸引動作の「強弱の切替」、エアカーテンの「入切」、動作タイマーの「設定」などを行うためのものである。また、操作スイッチ６２は、図示しない制御手段に電気的に接続され、操作スイッチ６２の操作により各部の動作や調整が行われるようになっている。また、前述した操作スイッチ６２の内容はあくまで例示であり、その内容は適宜変更が可能である。
【００３８】
図８は、操作スイッチ６２を説明するための模式図である。
操作スイッチ６２には、吸引動作の「切」を行うためのスイッチ６４、吸引動作の「入または強弱の切替」を行うためのスイッチ６５、エアカーテンの「入切」を行うためのスイッチ６６、動作タイマーの「設定」を行うためのスイッチ６７が設けられている。
【００３９】
これらのスイッチの機能を例示するものとすれば、例えば、スイッチ６５を一度押せば排気ファン３４が起動して、排気装置１０の吸引動作が始まり、スイッチ６４を押せば排気ファン３４は停止するようにすることができる。スイッチ６５は、図中に示すように「強、中、弱」の三段階の切替も行うものであり、スイッチ６５の「強、中、弱」のいずれかを押すことにより、排気ファン３４の吸引動作の強弱が切り替えられるようにすることができる。また、スイッチ６６を一度押せば、直流電源４６からイオン風送風装置３６への電気供給が開始し、再びスイッチ６６を押せば、その電気供給が停止するようにすることができる。スイッチ６７は、排気装置１０の動作の終始を管理するためのタイマーとすることができる。例えば、調理者が排気装置の前を離れる前に「切れ時間」を設定し、その時間が来た時には、排気装置１０の電源が切れるようにするなどの使い方ができる。時間設定は、スイッチ６７を押すたびに所定の長さの時間が加算的に設定されたり、図示しない表示装置を用いて時間を設定するようにすることもできる。
【００４０】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、排気装置１０、吸引流路２１、吐出流路２２、および整流板４８などが備える各要素の形状、寸法、材質、配置などやイオン風送風装置３６や整流板４８の設置形態などは、例示したものに限定されるわけではなく適宜変更することができる。
また、前述した各実施の形態が備える各要素は、技術的に可能な限りにおいて組み合わせることができ、これらを組み合わせたものも本発明の特徴を含む限り本発明の範囲に包含される。  
さらに、本発明の実施の形態については、排気装置１０がキッチンに設置された場合を例に挙げて説明したが、これだけに限られるわけではなく、例えば、禁煙領域と喫煙領域とを分煙する場所に設置されてもよい。
【図面の簡単な説明】
【００４１】
【図１】本発明の第１の実施の形態にかかる排気装置が設置されたキッチンを例示する模式図である。
【図２】本実施形態にかかる排気装置を下方から眺めた模式図である。
【図３】本実施形態にかかる排気装置の放電極、対向極の連結について説明をするための模式図である。
【図４】本発明の第２の実施の形態にかかる排気装置を表す模式図である。
【図５】本実施形態にかかる排気装置を斜め下方から眺めた模式図である。
【図６】本実施形態にかかる排気装置の放電極、対向極の連結について説明をするための模式図である。
【図７】本発明の実施の形態の具体例にかかる排気装置を例示する模式図である。
【図８】操作スイッチ６２を説明するための模式図である。
【符号の説明】
【００４２】
１０…排気装置
１２…ケーシング
１２ａ…ケーシング下部
１２ｂ…ケーシング上部
２１…吸引流路
２２…吐出流路
２４…吸引口
２６…排気口
２８…吸気口
３２…吐出口
３４…排気ファン
３６…イオン風送風装置
３８、４０、４２…イオン風送風ユニット
３８ａ、４０ａ、４２ａ…放電極
３８ｂ、３８ｃ、４０ｂ、４０ｃ、４２ｂ、４２ｃ…対向極
４４…支持部材
４６…直流電源
４８…整流板
５０ａ、５０ｂ、５０ｃ…連結手段
５２ａ、５２ｂ、５６ａ、５６ｂ…電気線材
５３ａ、５３ｂ、５７ａ、５７ｂ…電気コネクタ
６２…操作スイッチ
６４、６５、６６、６７…スイッチ
７０…調理器具
７２…鍋
【図１】
2010117079.tif 000003
【図２】
2010117079.tif 000004
【図３】
2010117079.tif 000005
【図４】
2010117079.tif 000006
【図５】
2010117079.tif 000007
【図６】
2010117079.tif 000008
【図７】
2010117079.tif 000009
【図８】
2010117079.tif 000010